(57)【特許請求の範囲】
【請求項１】
試験対象の移動通信端末（１）との間における通信条件を設定する通信条件設定手段（２２）と、
前記通信条件に基づいて所定のメッセージを含む送受信信号を送受信する送受信手段（２３、２５）と、
前記メッセージをその送受信時の時刻情報と関連付けてトレースログとして記憶するトレースログ記憶手段（１３）と、
前記通信条件設定手段が設定した設定情報及び前記送受信信号の少なくともいずれか一方に基づいて前記送受信信号に関する予め定められた特性値を取得する特性値取得手段（３０）と、
前記特性値をその取得時の時刻情報と関連付けて特性値ログとして記憶する特性値ログ記憶手段（１４）と、
１つの画面内に、前記トレースログ記憶手段が記憶したトレースログ及び前記特性値ログ記憶手段が記憶した特性値ログに基づいて、前記送受信手段から前記移動通信端末に向かう下り方向及びその逆の上り方向の少なくともいずれか一方における前記特性値の時間的変化を示すグラフ及び前記メッセージを前記時刻情報を基準として並列に並べた状態で、線形時間軸（７２）を基準として表示する線形時間軸表示モードと前記メッセージを送受信順に並べて配置して非線形時間軸（６２）で表示する非線形時間軸表示モードとの少なくともいずれか一方の表示モードで表示し、さらに、前記メッセージの送信方向を示す矢印（６４、６５、７４、７５）を前記グラフの表示上に重ねて表示する表示手段（１６）と、
を備えた移動通信端末試験装置。
【請求項２】
前記表示手段は、前記メッセージの説明が記載された説明欄（６７、７７）を、前記メッセージの表示に並ぶ場所にさらに並列表示することを特徴とする請求項１に記載の移動通信端末試験装置。
【請求項３】
前記特性値取得手段は、予め定められた複数の特性値を取得するものであり、
前記特性値ログ記憶手段は、前記各特性値をそれらの取得時の時刻情報と関連付けて特性値ログとして記憶するものであり、
前記表示手段は、前記線形時間軸表示モード及び前記非線形時間軸表示モードの少なくともいずれか一方の表示モードにおいて、前記複数の特性値のうち少なくとも１つの特性値のグラフ及び前記メッセージを表示するものであることを特徴とする請求項１又は請求項２に記載の移動通信端末試験装置。
【請求項４】
前記表示手段は、前記線形時間軸及び前記非線形時間軸の少なくともいずれか一方に沿って前記複数の特性値のうち所望の特性値のグラフを重ねて表示するものであることを特徴とする請求項３に記載の移動通信端末試験装置。
【請求項５】
前記表示手段は、前記下り方向及び前記上り方向における同じ種類の特性値のグラフを表示するものであることを特徴とする請求項１から請求項４までのいずれか１項に記載の移動通信端末試験装置。
【請求項６】
前記表示手段は、前記下り方向及び前記上り方向における互いに異なる種類の特性値のグラフを表示するものであることを特徴とする請求項１から請求項４までのいずれか１項に記載の移動通信端末試験装置。
【請求項７】
前記表示手段は、前記下り方向及び前記上り方向のいずれか一方のみの特性値のグラフを表示するものであることを特徴とする請求項１から請求項４までのいずれか１項に記載の移動通信端末試験装置。
【請求項８】
前記送受信手段は、少なくとも１つの周波数帯域において前記メッセージを前記移動通信端末に送信するとともに、少なくとも１つの周波数帯域において前記移動通信端末からのメッセージを受信するものであって、
前記表示手段は、前記送受信手段が前記メッセージを送受信する前記各周波数帯域を識別表示するものであることを特徴とする請求項１から請求項７までのいずれか１項に記載の移動通信端末試験装置。
【請求項９】
請求項１に記載の移動通信端末試験装置により移動通信端末を試験する移動通信端末試験方法であって、
試験対象の移動通信端末との間における通信条件を設定する通信条件設定ステップ（Ｓ１２）と、
前記通信条件に基づいて所定のメッセージを含む送受信信号を送受信する送受信ステップ（Ｓ１３、Ｓ１４）と、
前記メッセージをその送受信時の時刻情報と関連付けてトレースログとして記憶するトレースログ記憶ステップ（Ｓ１６）と、
前記通信条件設定ステップで設定した設定情報及び前記送受信信号の少なくともいずれか一方に基づいて前記送受信信号に関する予め定められた特性値を取得する特性値取得ステップ（Ｓ１７）と、
前記特性値をその取得時の時刻情報と関連付けて特性値ログとして記憶する特性値ログ記憶ステップ（Ｓ１８）と、
１つの画面内に、前記トレースログ記憶ステップで記憶したトレースログ及び前記特性値ログ記憶ステップで記憶した特性値ログに基づいて、前記送受信手段から前記移動通信端末に向かう下り方向及びその逆の上り方向の少なくともいずれか一方における前記特性値の時間的変化を示すグラフ及び前記メッセージを前記時刻情報を基準として並列に並べた状態で、線形時間軸を基準として表示する線形時間軸表示モードと前記メッセージを送受信順に並べて配置して非線形時間軸で表示する非線形時間軸表示モードとの少なくともいずれか一方の表示モードで表示し、さらに、前記メッセージの送信方向を示す矢印（６４、６５、７４、７５）を前記グラフの表示上に重ねて表示する表示ステップ（Ｓ２０、Ｓ２１）と、
を含むことを特徴とする移動通信端末試験方法。
【発明の詳細な説明】
【技術分野】
【０００１】
本発明は、移動通信端末を試験する移動通信端末試験装置及び移動通信端末試験方法に関する。
【背景技術】
【０００２】
従来、この種の試験装置としては、特許文献１記載の通信試験装置が知られている。特許文献１記載のものは、通信シーケンスを取得するシーケンス情報取得手段と、信号の物理量を検出し検出値として出力する信号物理量測定手段と、検出値のパワーレベルと通信データの有無情報とから通信の有無を判定しパワーログ情報として出力するレベル判定手段と、シーケンスログの表示と、パワーログ情報から通信の有無を識別可能に示したパワーログの表示とを時系列に並べて表示する表示手段と、を備えている。
【０００３】
この構成により、シーケンスログ表示とパワーログ表示とを時系列に並べて表示でき、移動通信端末と通信試験装置間の通信の解析を容易にし、試験、評価等をより一層容易にすると特許文献１には記載されている。
【先行技術文献】
【特許文献】
【０００４】
【特許文献１】特開２００６−３３００７号公報
【発明の概要】
【発明が解決しようとする課題】
【０００５】
しかしながら、特許文献１記載のものでは、シーケンスログと時刻との関係を示した表示画面と、パワー特性と時刻との関係を示した表示画面とが別画面で表示されるようになっており、シーケンスログ、時刻及びパワー特性の三者間の関係がわかり難く、移動通信端末の不具合の原因を容易に特定することが困難であるという課題があった。
【０００６】
本発明は、従来の課題を解決するためになされたものであり、移動通信端末の不具合の原因を容易に特定することができる移動通信端末試験装置及び移動通信端末試験方法を提供することを目的とする。
【課題を解決するための手段】
【０００７】
本発明の請求項１に係る移動通信端末試験装置は、試験対象の移動通信端末（１）との間における通信条件を設定する通信条件設定手段（２２）と、前記通信条件に基づいて所定のメッセージを含む送受信信号を送受信する送受信手段（２３、２５）と、前記メッセージをその送受信時の時刻情報と関連付けてトレースログとして記憶するトレースログ記憶手段（１３）と、前記通信条件設定手段が設定した設定情報及び前記送受信信号の少なくともいずれか一方に基づいて前記送受信信号に関する予め定められた特性値を取得する特性値取得手段（３０）と、前記特性値をその取得時の時刻情報と関連付けて特性値ログとして記憶する特性値ログ記憶手段（１４）と、１つの画面内に、前記トレースログ記憶手段が記憶したトレースログ及び前記特性値ログ記憶手段が記憶した特性値ログに基づいて、前記送受信手段から前記移動通信端末に向かう下り方向及びその逆の上り方向の少なくともいずれか一方における前記特性値の時間的変化を示すグラフ及び前記メッセージを前記時刻情報を基準として並列に並べた状態で、線形時間軸（７２）を基準として表示する線形時間軸表示モードと前記メッセージを送受信順に並べて配置して非線形時間軸（６２）で表示する非線形時間軸表示モードとの少なくともいずれか一方の表示モードで表示し、さらに、前記メッセージの送信方向を示す矢印（６４、６５、７４、７５）を前記グラフの表示上に重ねて表示する表示手段（１６）と、を備えた構成を有している。
【０００８】
この構成により、本発明の請求項１に係る移動通信端末試験装置は、表示手段が、特性値の時間的変化を示すグラフ及びメッセージを、線形時間軸を基準として表示する線形時間軸表示モードとメッセージを送受信順に並べて配置して非線形時間軸で表示する非線形時間軸表示モードとの少なくともいずれか一方の表示モードで表示するので、特性値の時間的変化を示すグラフ、メッセージ及び時刻の三者間の関係をわかりやすく試験者に表示することができる。
【０００９】
したがって、本発明の請求項１に係る移動通信端末試験装置は、移動通信端末に不具合が生じた場合、その原因が特性値及びメッセージのいずれにあるのかを時系列的にわかりやすく示すことができるので、移動通信端末の不具合の原因を容易に特定することができる。
【００１０】
本発明の請求項２に係る移動通信端末試験装置は、前記表示手段は、前記メッセージの説明が記載された説明欄（６７、７７）を、前記メッセージの表示に並ぶ場所にさらに並列表示する構成を有している。
本発明の請求項３に係る移動通信端末試験装置は、前記特性値取得手段は、予め定められた複数の特性値を取得するものであり、前記特性値ログ記憶手段は、前記各特性値をそれらの取得時の時刻情報と関連付けて特性値ログとして記憶するものであり、前記表示手段は、前記線形時間軸表示モード及び前記非線形時間軸表示モードの少なくともいずれか一方の表示モードにおいて、前記複数の特性値のうち少なくとも１つの特性値のグラフ及び前記メッセージを表示するものである構成を有している。
【００１１】
この構成により、本発明の請求項３に係る移動通信端末試験装置は、線形時間軸表示モード及び非線形時間軸表示モードの少なくともいずれか一方の表示モードにおいて、複数の特性値のうち少なくとも１つの特性値のグラフ及びメッセージを表示することができる。
【００１２】
本発明の請求項４に係る移動通信端末試験装置は、前記表示手段は、前記線形時間軸及び前記非線形時間軸の少なくともいずれか一方に沿って前記複数の特性値のうち所望の特性値のグラフを重ねて表示するものである構成を有している。
【００１３】
この構成により、本発明の請求項４に係る移動通信端末試験装置は、複数の特性値のうち所望の特性値のグラフを重ねて表示することができる。
【００１４】
本発明の請求項５に係る移動通信端末試験装置は、前記表示手段は、前記下り方向及び前記上り方向における同じ種類の特性値のグラフを表示するものである構成を有している。
【００１５】
この構成により、本発明の請求項５に係る移動通信端末試験装置は、下り方向及び上り方向における同じ種類の特性値のグラフを表示することができる。
【００１６】
本発明の請求項６に係る移動通信端末試験装置は、前記表示手段は、前記下り方向及び前記上り方向における互いに異なる種類の特性値のグラフを表示するものである構成を有している。
【００１７】
この構成により、本発明の請求項６に係る移動通信端末試験装置は、下り方向及び上り方向における互いに異なる種類の特性値のグラフを表示することができる。
【００１８】
本発明の請求項７に係る移動通信端末試験装置は、前記表示手段は、前記下り方向及び前記上り方向のいずれか一方のみの特性値のグラフを表示するものである構成を有している。
【００１９】
この構成により、本発明の請求項７に係る移動通信端末試験装置は、下り方向及び上り方向のいずれか一方のみの特性値のグラフを表示することができる。
【００２０】
本発明の請求項８に係る移動通信端末試験装置は、前記送受信手段は、少なくとも１つの周波数帯域において前記メッセージを前記移動通信端末に送信するとともに、少なくとも１つの周波数帯域において前記移動通信端末からのメッセージを受信するものであって、前記表示手段は、前記送受信手段が前記メッセージを送受信する前記各周波数帯域を識別表示するものである構成を有している。
【００２１】
この構成により、本発明の請求項８に係る移動通信端末試験装置は、送受信手段がメッセージを送受信する各周波数帯域を識別表示するので、試験者にわかりやすく周波数帯域を示すことができる。
【００２２】
本発明の請求項９に係る移動通信端末試験方法は、請求項１に記載の移動通信端末試験装置により移動通信端末を試験する移動通信端末試験方法であって、試験対象の移動通信端末との間における通信条件を設定する通信条件設定ステップ（Ｓ１２）と、前記通信条件に基づいて所定のメッセージを含む送受信信号を送受信する送受信ステップ（Ｓ１３、Ｓ１４）と、前記メッセージをその送受信時の時刻情報と関連付けてトレースログとして記憶するトレースログ記憶ステップ（Ｓ１６）と、前記通信条件設定ステップで設定した設定情報及び前記送受信信号の少なくともいずれか一方に基づいて前記送受信信号に関する予め定められた特性値を取得する特性値取得ステップ（Ｓ１７）と、前記特性値をその取得時の時刻情報と関連付けて特性値ログとして記憶する特性値ログ記憶ステップ（Ｓ１８）と、１つの画面内に、前記トレースログ記憶ステップで記憶したトレースログ及び前記特性値ログ記憶ステップで記憶した特性値ログに基づいて、前記送受信手段から前記移動通信端末に向かう下り方向及びその逆の上り方向の少なくともいずれか一方における前記特性値の時間的変化を示すグラフ及び前記メッセージを前記時刻情報を基準として並列に並べた状態で、線形時間軸を基準として表示する線形時間軸表示モードと前記メッセージを送受信順に並べて配置して非線形時間軸で表示する非線形時間軸表示モードとの少なくともいずれか一方の表示モードで表示し、さらに、前記メッセージの送信方向を示す矢印（６４、６５、７４、７５）を前記グラフの表示上に重ねて表示する表示ステップ（Ｓ２０、Ｓ２１）と、を含む構成を有している。
【００２３】
この構成により、本発明の請求項９に係る移動通信端末試験方法は、表示手ステップにおいて、特性値の時間的変化を示すグラフ及びメッセージを、線形時間軸を基準として表示する線形時間軸表示モードとメッセージを送受信順に並べて配置して非線形時間軸で表示する非線形時間軸表示モードとの少なくともいずれか一方の表示モードで表示するので、特性値の時間的変化を示すグラフ、メッセージ及び時刻の三者間の関係をわかりやすく試験者に表示することができる。
【００２４】
したがって、本発明の請求項９に係る移動通信端末試験方法は、移動通信端末に不具合が生じた場合、その原因が特性値及びメッセージのいずれにあるのかを時系列的にわかりやすく示すことができるので、移動通信端末の不具合の原因を容易に特定することができる。
【発明の効果】
【００２５】
本発明は、移動通信端末の不具合の原因を容易に特定することができるという効果を有する移動通信端末試験装置及び移動通信端末試験方法を提供することができるものである。
【図面の簡単な説明】
【００２６】
【図１】本発明に係る移動通信端末試験装置の一実施形態におけるブロック構成図である。
【図２】本発明に係る移動通信端末試験装置の一実施形態において、ＤＬ及びＵＬにおける電力の時間的変化を示すグラフ及びメッセージを非線形時間軸表示モードで表した図である。
【図３】本発明に係る移動通信端末試験装置の一実施形態において、ＤＬ及びＵＬにおける電力の時間的変化を示すグラフ及びメッセージを線形時間軸表示モードで表した図である。
【図４】本発明に係る移動通信端末試験装置の一実施形態におけるフローチャートである。
【発明を実施するための形態】
【００２７】
以下、本発明の実施形態について図面を用いて説明する。
【００２８】
まず、本発明に係る移動通信端末試験装置の一実施形態における構成について説明する。
【００２９】
図１に示すように、本実施形態における移動通信端末試験装置１０は、所定の通信規格に基づいて試験対象の移動通信端末（以下「ＵＥ」）１と通信し、ＵＥ１を試験するようになっている。通信規格としては、例えば、Ｗ−ＣＤＭＡ（Wideband Code Division Multiple Access）、ＧＳＭ（登録商標）（Global System for Mobile Communications）、ＬＴＥ（Long Term Evolution）、ＬＴＥ−Ａ（LTE-Advanced）等がある。本実施形態では、移動通信端末試験装置１０は、通信規格としてＬＴＥ（Long Term Evolution）を使用するものとする。
【００３０】
移動通信端末試験装置１０は、擬似基地局２０、特性値取得部３０、時刻生成部１１、トレースログ生成部１２、トレースログ記憶部１３、特性値ログ記憶部１４、表示制御部１５、表示部１６、操作部１７を備えている。この移動通信端末試験装置１０は、例えば、ＣＰＵ、ＲＡＭ、ＲＯＭ、ハードディスクドライブ等で構成され、ＲＯＭに予め記憶されたプログラムに従って動作するようになっている。
【００３１】
擬似基地局２０は、試験シナリオ記憶部２１、制御部２２、送信部２３、結合器２４、受信部２５を備えている。制御部２２は、本発明に係る通信条件設定手段を構成する。送信部２３及び受信部２５は、本発明に係る送受信手段を構成する。
【００３２】
試験シナリオ記憶部２１は、ＵＥ１を試験するために試験者が登録した試験シナリオを記憶している。試験シナリオとは、試験手順や試験のための通信シーケンスが記述されたものをいう。
【００３３】
制御部２２は、試験シナリオ記憶部２１に記憶された試験シナリオに基づいて、ＵＥ１との間における通信条件を、擬似基地局２０からＵＥ１に向かう方向の通信経路（ＤＬ）及びその逆の通信経路（ＵＬ）で設定するようになっている。例えば、制御部２２は、ＤＬ及びＵＬにおけるコンポーネントキャリア数、各コンポーネントキャリアの周波数、リソースブロック（ＲＢ）数等を、ＤＬにおける送信電力等、ＵＬにおける受信周波数等を設定するようになっている。
【００３４】
また、制御部２２は、設定した情報を設定情報として特性値取得部３０に出力するようになっている。また、制御部２２は、設定情報のうち送信に関する設定情報を送信部２３に出力するとともに、試験シナリオ記憶部２１に記憶された試験シナリオに基づいて所定のメッセージを送信部２３に出力するようになっている。
【００３５】
送信部２３は、制御部２２からのメッセージを、設定情報に基づいた送信条件でＲＦ（無線周波数）を有する送信信号（ＲＦ信号）に含めて結合器２４経由でＵＥ１に送信するようになっている。
【００３６】
結合器２４は、送信部２３からのＲＦ信号をＵＥ１に送信するとともに、その応答信号をＵＥ１から受信して受信部２５に出力するようになっている。
【００３７】
受信部２５は、ＵＥ１から受信したＲＦ信号をベースバンド信号に変換し、復号し、レイヤ処理して、それにより得たデータを制御部２２に出力するようになっている。また、受信部２５は、ベースバンド信号の受信波形データを特性値取得部３０に出力するようになっている。ここで、制御部２２に出力されるデータは、ＵＥ１から時系列に送信されるメッセージを含む。制御部２２は、これらの時系列のメッセージを含むデータをトレースデータとしてトレースログ生成部１２に出力するようになっている。
【００３８】
特性値取得部３０は、制御部２２が設定した設定情報、送信部２３の送信信号及び受信部２５の受信信号の少なくともいずれか１つに基づいて、ＵＬにおける特性を取得するＵＬ取得部４０と、ＤＬにおける特性を取得するＤＬ取得部５０と、を備えている。この特性値取得部３０は、本発明に係る特性値取得手段を構成する。
【００３９】
ＵＬ取得部４０は、受信電力測定部４１、受信周波数取得部４２、ＥＰＲＥ（Energy Per Resource Element）測定部４３、ＥＶＭ（Error Vector Magnitude）測定部４４を備えている。ここで、ＥＰＲＥはリソースエレメントごとの電力を示し、ＥＶＭは変調精度を示す。
【００４０】
受信電力測定部４１は、例えばＲＢごとに、受信部２５からの受信波形データから受信電力を測定するようになっている。その結果、特性値取得部３０は、受信電力を取得することとなる。
【００４１】
受信周波数取得部４２は、制御部２２からの設定情報から受信周波数のデータを取得するようになっている。
【００４２】
ＥＰＲＥ取得部４３は、［数１］に基づいて、ＵＬにおけるリソースエレメントごとの受信電力を示すＥＰＲＥ（ＵＬ）を算出するようになっている。なお、ＥＰＲＥ取得部４３は、受信波形全体（トータル）の受信電力のデータを受信電力測定部４１から取得し、ＲＢ数のデータを制御部２２からの設定情報から取得することができる。ＲＢ数は制御部２２によって設定される設定値に含まれ、１ＲＢは１２個のリソースエレメントを含む。
【００４３】
［数１］
ＥＰＲＥ（ＵＬ）＝トータルの受信電力／（ＲＢ数×１２）
【００４４】
ＥＶＭ測定部４４は、例えばＲＢごとに、受信部２５からの受信波形データからＥＶＭを測定するようになっている。その結果、特性値取得部３０は、ＥＶＭを取得することとなる。
【００４５】
ＤＬ取得部５０は、送信電力測定部５１、送信周波数取得部５２、ＥＰＲＥ取得部５３を備えている。
【００４６】
送信電力測定部５１は、例えばＲＢごとに、送信部２３の出力信号から送信電力を測定するようになっている。なお、送信電力測定部５１は、制御部２２からの設定情報から送信電力のデータを取得する構成であってもよい。
【００４７】
送信周波数取得部５２は、制御部２２からの設定情報から送信周波数のデータを取得するようになっている。
【００４８】
ＥＰＲＥ取得部５３は、［数２］に基づいて、ＤＬにおけるリソースエレメントごとの送信電力を示すＥＰＲＥ（ＤＬ）を算出するようになっている。なお、ＥＰＲＥ取得部５３は、送信波形全体（トータル）の送信電力のデータを送信電力測定部５１から取得し、ＲＢ数のデータを制御部２２からの設定情報から取得することができる。
【００４９】
［数２］
ＥＰＲＥ（ＤＬ）＝トータルの送信電力／（ＲＢ数×１２）
【００５０】
時刻生成部１１は、時刻情報を生成し、トレースログ生成部１２及び特性値取得部３０に出力するようになっている。この時刻情報は、絶対時刻で表した情報、又は所定の絶対時刻からの経過時間を示す情報である。
【００５１】
トレースログ生成部１２は、制御部２２から出力されたトレースデータをトレースログとして生成し、生成時の時刻情報と関連付けてトレースログ記憶部１３に出力するようになっている。
【００５２】
トレースログ記憶部１３は、トレースログ生成部１２が生成したトレースログをその生成時の時刻情報と関連付けて記憶するようになっている。このトレースログ記憶部１３は、本発明に係るトレースログ記憶手段を構成する。
【００５３】
特性値ログ記憶部１４は、特性値取得部３０が取得した各特性値を、その取得時の時刻情報と関連付けて特性値ログとして記憶するようになっている。この特性値ログ記憶部１４は、本発明に係る特性値ログ記憶手段を構成する。
【００５４】
表示制御部１５は、トレースログ記憶部１３が記憶したトレースログと、特性値ログ記憶部１４が記憶した特性値ログとに基づいて、所定の画面を表示部１６に表示させるよう制御するようになっている。
【００５５】
具体的には、表示制御部１５は、ＤＬ及びＵＬの少なくともいずれか一方における所定の特性値を示すグラフ及びメッセージを、線形時間軸を基準として表示する線形時間軸表示モードと、メッセージを送受信順に並べて配置して非線形時間軸で表示する非線形時間軸表示モードとの少なくともいずれか一方の表示モードで表示部１６に表示させるよう制御するようになっている。
【００５６】
表示部１６は、例えば液晶ディスプレイで構成され、表示制御部１５の制御に従って所定の画面を表示するようになっている。この表示部１６は、本発明に係る表示手段を構成する。
【００５７】
操作部１７は、試験者が操作するものであり、例えば、試験シナリオの設定を含む試験条件や、表示制御部１５を介して表示部１６の画面操作に関する設定等を行うためのキーボード、ダイヤル又はマウスのような入力デバイス、これらを制御する制御回路等で構成される。
【００５８】
次に、本実施形態における表示部１６が表示する試験結果表示画面の表示例について図２及び図３を用いて説明する。図２は、表示部１６が、ＤＬ及びＵＬにおける電力の時間的変化を示すグラフ及びメッセージを非線形時間軸表示モードで試験結果表示６０として表示した例を示している。図３は、表示部１６が、ＤＬ及びＵＬにおける電力を示すグラフ及びメッセージを線形時間軸表示モードで試験結果表示７０として表示した例を示している。
【００５９】
図２に示した非線形時間軸表示モードでの試験結果表示６０は、メッセージを基準として表示した試験結果表示であって、所定の特性値のグラフを表示するグラフ表示領域６１と、Ｍｅｓｓａｇｅ（メッセージ）欄６６と、Ｄｅｓｃｒｉｐｔｉｏｎ（説明）欄６７と、を含む。この試験結果表示６０の表示領域は、試験者が操作部１７を介してカーソル６８を操作することにより、任意に変更できるようになっている。
【００６０】
グラフ表示領域６１には、非線形時間軸６２、グラフ表示部６３、ＤＬのメッセージの送信方向を示す長破線の矢印６４、ＵＬのメッセージの送信方向を示す短破線の矢印６５が表示されている。なお、記号「ＵＥ」及び「ＳＳ」は、それぞれ、ＵＥ１及び擬似基地局２０を表している。また、「ＵＬ  Ｐｏｗｅｒ」及び「ＳＳ  Ｐｏｗｅｒ」は、それぞれ、ＵＬにおける電力（受信電力）及びＤＬにおける電力（送信電力）を表している。
【００６１】
Ｍｅｓｓａｇｅ欄６６には、ＵＥ１と擬似基地局２０との間において送受信されたメッセージが送受信順に並べて配置されている。Ｄｅｓｃｒｉｐｔｉｏｎ欄６７には、メッセージの説明が記載されている。一般に、メッセージの送受信時間間隔は一定ではないので、これらのメッセージの送受信時刻は非線形時間軸６２で表示されている。図２に示した例では、非線形時間軸６２には１０ｍｓｅｃごとに時刻目盛が付してあるが、メッセージを送受信順に並べて配置したので、時刻目盛の時間間隔は一定ではなく互いに異なるものとなっている。
【００６２】
また、図２に示した例では、グラフ表示領域６１のＳＳ側（ＤＬ側）には、非線形時間軸６２を用いて、識別表示された２つの周波数帯域（８２０ＭＨｚ、８５０ＭＨｚ）の各コンポーネントキャリアでの送信電力のグラフが表示してある。一方、グラフ表示領域６１のＵＥ側（ＵＬ側）には、非線形時間軸６２を用いて、識別表示された２つの周波数帯域（９００ＭＨｚ、９３０ＭＨｚ）の各コンポーネントキャリアでの受信電力のグラフが表示してある。このグラフ表示領域６１の表示と、非線形時間軸６２に付された時刻と、Ｍｅｓｓａｇｅ欄６６の記述内容とから、試験者は、メッセージを基準として、送信電力又は受信電力の変化量とメッセージと時刻との関連を容易に把握できる。
【００６３】
図３に示した線形時間軸表示モードでの試験結果表示７０は、時刻を基準として表示した試験結果表示であって、所定の特性値のグラフを表示するグラフ表示領域７１と、Ｍｅｓｓａｇｅ（メッセージ）欄７６と、Ｄｅｓｃｒｉｐｔｉｏｎ（説明）欄７７と、を含む。この試験結果表示７０の表示領域は、試験者が操作部１７を介してカーソル７８を操作することにより、任意に変更できるようになっている。
【００６４】
グラフ表示領域７１には、線形時間軸７２、グラフ表示部７３、ＤＬのメッセージの送信方向を示す長破線の矢印７４、ＵＬのメッセージの送信方向を示す短破線の矢印７５が表示されている。
【００６５】
Ｍｅｓｓａｇｅ欄７６には、ＵＥ１と擬似基地局２０との間において送受信されたメッセージが送受信順に配置されている。Ｄｅｓｃｒｉｐｔｉｏｎ欄７７には、メッセージの説明が記載されている。一般に、メッセージの送受信時間間隔は一定ではないが、これらのメッセージの送受信時刻を基準にすれば、図３に示したように、線形時間軸７２を用いてメッセージを表示することができる。図３に示した例では、線形時間軸７２には、１０ｍｓｅｃごとに時刻目盛が付してあるが、メッセージの送受信時刻を基準にメッセージを配置したので、時刻目盛の時間間隔は互いに同じものとなっている。
【００６６】
また、図３に示した例では、グラフ表示領域７１のＳＳ側（ＤＬ側）には、線形時間軸７２を用いて、識別表示された２つの周波数帯域（８２０ＭＨｚ、８５０ＭＨｚ）の各コンポーネントキャリアでの送信電力が表示してある。一方、グラフ表示領域７１のＵＥ側（ＵＬ側）には、線形時間軸７２を用いて、識別表示された２つの周波数帯域（９００ＭＨｚ、９３０ＭＨｚ）の各コンポーネントキャリアでの受信電力が表示してある。このグラフ表示領域７１の表示と、線形時間軸７２に付された時刻と、Ｍｅｓｓａｇｅ欄７７の記述内容とから、試験者は、時刻を基準として、送信電力又は受信電力の変化量とメッセージと時刻との関連を容易に把握できる。
【００６７】
表示部１６は、図２に示した試験結果表示６０と、図３に示した試験結果表示７０とを、試験者の操作部１７の操作により切り替えて表示できるようになっている。
【００６８】
なお、図２に示した非線形時間軸表示モード及び図３に示した線形時間軸表示モードでは、共にＤＬ及びＵＬにおける電力を特性値の一例として挙げたが、本発明はこれに限定されず、特性値取得部３０が取得した各特性値の所望のグラフを表示部１６に表示させることができる。
【００６９】
例えば、表示部１６が、特性値のグラフとしてＵＬにおけるＥＶＭのグラフのみを表示する構成であってもよいし、ＤＬにおけるＥＰＲＥのグラフのみを表示する構成であってもよい。また、例えば、表示部１６が、特性値のグラフとして、ＵＬにおけるＥＶＭのグラフ、ＤＬにおけるＥＰＲＥのグラフを同時に表示する構成であってもよい。また、例えば、表示部１６が、特性値のグラフとして、ＵＬにおける受信電力とＥＶＭとを重ねて表示し、同時に、ＤＬにおけるＥＰＲＥのグラフを表示する構成であってもよい。
【００７０】
次に、本実施形態における移動通信端末試験装置１０の動作について図４を用いて説明する。
【００７１】
試験シナリオ記憶部２１は、試験者の操作部１７の操作により設定された試験シナリオを記憶する（ステップＳ１１）。
【００７２】
制御部２２は、試験シナリオ記憶部２１から試験シナリオを読み出し、読み出した試験シナリオに基づいて、ＵＥ１との間における通信条件を設定し（ステップＳ１２）、送信に関する設定情報及び試験シナリオに基づいた所定のメッセージを送信部２３に出力する。
【００７３】
送信部２３は、制御部２２からのメッセージを設定情報に基づいた送信条件でＲＦ信号に含めて結合器２４経由でＵＥ１に送信する（ステップＳ１３）。
【００７４】
受信部２５は、送信部２３が送信したメッセージに応答したメッセージを結合器２４経由でＵＥ１から受信する（ステップＳ１４）。
【００７５】
受信部２５は、ＵＥ１から受信したＲＦ信号をベースバンド信号に変換して、受信したメッセージを制御部２２に時系列に出力するとともに、ベースバンド信号の受信波形データを特性値取得部３０に出力する。制御部２２は、時系列のメッセージを含むデータをトレースデータとしてトレースログ生成部１２に出力する。
【００７６】
トレースログ生成部１２は、制御部２２から出力されたトレースデータをトレースログとして生成し（ステップＳ１５）、生成時の時刻情報と関連付けてトレースログ記憶部１３に出力する。
【００７７】
トレースログ記憶部１３は、トレースログ生成部１２が生成したトレースログをその生成時の時刻情報と関連付けて記憶する（ステップＳ１６）。
【００７８】
特性値取得部３０は、制御部２２が設定した設定情報、送信部２３の送信信号及び受信部２５の受信信号の少なくともいずれか１つに基づいて、各特性値を取得する（ステップＳ１７）。
【００７９】
特性値ログ記憶部１４は、特性値取得部３０が取得した各特性値を、その取得時の時刻情報と関連付けて特性値ログとして記憶する（ステップＳ１８）。
【００８０】
表示制御部１５は、試験者が操作部１７を操作して、非線形時間軸表示モード及び線形時間軸表示モードのいずれの表示モードを選択したかを判断する（ステップＳ１９）。
【００８１】
表示制御部１５は、非線形時間軸表示モードが選択されたと判断した場合は、非線形時間軸表示モードで試験結果を表示する（ステップＳ２０）。
【００８２】
一方、表示制御部１５は、線形時間軸表示モードが選択されたと判断した場合は、線形時間軸表示モードで試験結果を表示する（ステップＳ２１）。
【００８３】
以上のように、本実施形態における移動通信端末試験装置１０は、表示部１６が、特性値の時間的変化を示すグラフ及びメッセージを、線形時間軸７２を基準として表示する線形時間軸表示モードと、メッセージを送受信順に並べて配置して非線形時間軸６２で表示する非線形時間軸表示モードとの少なくともいずれか一方の表示モードで表示するので、特性値の時間的変化を示すグラフ、メッセージ及び時刻の三者間の関係をわかりやすく試験者に表示することができる。
【００８４】
したがって、本実施形態における移動通信端末試験装置１０は、移動通信端末に不具合が生じた場合、その原因が特性値及びメッセージのいずれにあるのかを時系列的にわかりやすく示すことができるので、移動通信端末の不具合の原因を容易に特定することができる。
【産業上の利用可能性】
【００８５】
以上のように、本発明に係る移動通信端末試験装置及び移動通信端末試験方法は、移動通信端末の不具合の原因を容易に特定することができるという効果を有し、移動通信端末を試験する移動通信端末試験装置及び移動通信端末試験方法として有用である。
【符号の説明】
【００８６】
１  ＵＥ（移動通信端末）
１０  移動通信端末試験装置
１１  時刻生成部
１２  トレースログ生成部
１３  トレースログ記憶部（トレースログ記憶手段）
１４  特性値ログ記憶部（特性値ログ記憶手段）
１５  表示制御部
１６  表示部（表示手段）
１７  操作部
２０  擬似基地局
２１  試験シナリオ記憶部
２２  制御部（通信条件設定手段）
２３  送信部（送受信手段）
２４  結合器
２５  受信部（送受信手段）
３０  特性値取得部（特性値取得手段）
４１  受信電力測定部
４２  受信周波数取得部
４３  ＥＰＲＥ取得部
４４  ＥＶＭ測定部
５１  送信電力測定部
５２  送信周波数取得部
５３  ＥＰＲＥ取得部
６０  試験結果表示
６２  非線形時間軸
７０  試験結果表示
７２  線形時間軸
【図１】
0005878900.tif 000002
【図２】
0005878900.tif 000003
【図３】
0005878900.tif 000004
【図４】
0005878900.tif 000005